(57)【要約】【課題】  モバイル端末からの信号を回線中の分岐部でモニタして表示させることが可能なモバイル情報取得システムを提供する。【解決手段】  モバイル１００からの信号を受信する接続制御装置１１０、１２０と、接続制御装置に入出力する第１制御信号データをリアルタイムでモニタする分岐部１１１，１２１と、分岐部でモニタした第１制御信号データを１次フィルタリングするデータ収集・配信制御部２３０と、１次フィルタリングされた第１制御信号データを蓄積する蓄積部４００と、蓄積部に蓄積された第１制御信号データに顧客データを付加して第２制御信号データを作成するデータマネジメント部３３０と、第２制御信号データを格納する信号データＤＢ３２０と、信号データＤＢに格納された第２制御信号データを２次フィルタリングすることによって情報データを作成する操作部３４０とからなる。【選択図】        図１
2009265888.tif 000002
【特許請求の範囲】
【請求項１】
モバイル端末からの信号を受信する接続制御装置と、
前記接続制御装置に入出力する第１制御信号データをリアルタイムでモニタする分岐部と、
前記分岐部でモニタした前記第１制御信号データを時刻情報と位置情報に基づいて１次フィルタリングを行なうデータ収集・配信制御部と、
前記データ収集・配信制御部で収集し１次フィルタリングされた前記第１制御信号データを蓄積する蓄積部と、
前記蓄積部に蓄積された第１制御信号データに顧客データを付加して第２制御信号データを作成するデータマネジメント部と、
前記データマネジメント部で作成された第２制御信号データを格納する信号データＤＢと、
前記信号データＤＢに格納された前記第２制御信号データに人口統計ＤＢ、施設データＤＢ、交通統計ＤＢを連携させ、２次フィルタリングによって情報データを作成する操作部と
からなることを特徴とするモバイル情報取得システム。
【請求項２】
前記第１制御信号データは、ユーザＩＤ、位置ＩＤ、信号種別ＩＤ、サービス種別ＩＤ、無線ベアラＩＤ、接続先ＩＤ、データを取得した接続制御装置ＩＤ、端末機器ＩＤ、端末機器に接続するＳＩＭＩＤ、車両ＩＤ、Ｊａｖａ（登録商標）ＩＤ等のアプリケーションＩＤを含むことを特徴とする請求項１に記載のモバイル情報取得システム。
【請求項３】
顧客データは、前記第１制御信号データが有するユーザＩＤまたは端末機器ＩＤをキーとして顧客管理ＤＢから取得することを特徴とする請求項１に記載のモバイル情報取得システム。
【請求項４】
前記接続制御装置は、セルラ方式の無線基地局装置、無線回線制御装置、移動交換装置、位置管理ＤＢ、ＷｉＭＡＸ、ワイヤレスＬＡＮ方式のアクセスポイント、ルータを含むことを特徴とする請求項１に記載のモバイル情報取得システム。
【請求項５】
前記分岐部は、前記リアルタイムモニタとして信号の復号、信号の符号化機能を有する分岐回路をプローブとして挿入することを特徴とする請求項１に記載のモバイル情報取得システム。
【請求項６】
前記操作部は、前記２次フィルタリングとして、信号種別ＩＤ、位置情報（セル・セクタＩＤや端末のＧＰＳデータ）、データ取得時の時刻情報（日・時・分）、データ取得累積時間情報（秒単位、分単位、時間単位、日単位）、ＩＤ情報（ユーザＩＤ、接続装置ＩＤ、無線ベアラＩＤ、端末機器ＩＤ、サービス種別ＩＤ）、顧客層別情報（顧客管理データに含まれる顧客の年齢層、性別、職業層、居住エリア、通信時分層、通信料金層）、接続相手先ＩＰアドレスを組み合わせたテンプレートを作成することを特徴とするモバイル情報取得システム。
【請求項７】
接続制御装置に入出力するユーザＩＤと位置ＩＤとを含む第１制御信号データをリアルタイムでモニタし、
前記でモニタした第１制御信号データをデータ収集配信制御部で時刻情報と位置情報に基づいて１次フィルタリングを行ない、
前記１次フィルタリングで得られた情報を蓄積部に蓄積し、
前記蓄積部に蓄積された情報をデータマネジメント部で、顧客データを付加して第２制御信号データを作成し、信号データＤＢに格納し、
前記信号データＤＢと人口統計ＤＢ、施設データＤＢ、交通統計ＤＢとを連携させ、操作部で２次フィルタリングを行い、情報データを作成することを特徴とするモバイル情報取得方法。
【発明の詳細な説明】
【技術分野】
【０００１】
携帯電話等のモバイル端末への新規需要の伸びが鈍化し、ナンバポータビリティの導入と重なってモバイル端末のオペレータ間の顧客獲得競争はますます熾烈になる。顧客の獲得にはリアルタイムに顧客のオーバオールの接続状況を把握し、タイムリーに運用システムにフィードバックすることで顧客満足度を向上させる施策が要求される。リアルタイムに信号をモニタして２次のフィルタリングを通してオンラインで顧客満足度に係わる情報データを取得して、取得した情報データを経営情報としてアクセスすることができるモバイル情報取得システムおよび方法に関する。
【背景技術】
【０００２】
従来システムとしては、プロトコルを共通にして、異なった複数の接続制御装置内で作成し出力したデータを収集してリアルタイムに運用情報を得る方式が、例えば、ＴＣＰ／ＩＰネットワーク管理入門、Ｍ，Ｔ，ローズ著１９９２．８トッパン発行（非特許文献１）、に記載されている。
【０００３】
また、ネットワークを介して設備全体及び当該設備に設けられている機器の運用を管理する設備運用管理システムで、作業情報収集手段が収集した作業状況を所定の端末に対してリアルタイムに提供する方法が記載されている。（特許文献１）。
【０００４】
証券リアル情報と、ファンド運用情報を受信して出力し、当該業種に対応する証券リアル指数とを乗算した数値を種々の表示態様で表示する方法で複数の情報を統合して表示する方法が記載されている（特許文献２）。
【０００５】
また、アクセスログ情報を収集し、期間別時系列分類を行う方法が記載されている（特許文献３）。
【特許文献１】特開２００５−２８４３５０
【特許文献２】特開２００１−２８３０００
【特許文献３】特開平８−１０６４０８
【非特許文献１】ＴＣＰ／ＩＰネットワーク管理入門、Ｍ，Ｔ，ローズ著１９９２．８トッパン発行
【発明の開示】
【発明が解決しようとする課題】
【０００６】
しかしながら、非特許文献１に記載されている従来システムは、接続制御装置が作成したデータ信号を収集しているため、接続制御装置の負荷が大きくなるとともに異なる装置間でプロトコルが異なる場合がある。このため出力されるデータは独立で同期が取れていないのでデータ間の木目の細かい連携ができなかった。
【０００７】
また、特許文献１に記載された従来技術における収集系はリアルタイムに収集を行っておらず、したがって、本願のリアルタイムでの情報収集システムとは明らかに異なっている。
【０００８】
また、特許文献２に記載された従来技術においては、証券リアル情報と、ファンド運用情報を受信して出力し、当該業種に対応する証券リアル指数とを乗算した数値を種々の表示態様で表示する方法で複数の情報を統合して表示する方法であるが、本発明に記述した情報の収集方法や統合方法については全く記載されていない。
【０００９】
また、特許文献３に記載された従来技術においては、アクセスログ情報を収集し、期間別時系列分類を行う方法であるが、本願のように時間、位置の両方でフィルタリングを行うものではない。
【課題を解決するための手段】
【００１０】
請求項１に記載の発明は、モバイル端末からの信号を受信する接続制御装置と、接続制御装置に入出力する第１制御信号データをリアルタイムでモニタする分岐部と、分岐部でモニタした第１制御信号データを時刻情報と位置情報に基づいて１次フィルタリングを行なうデータ収集・配信制御部と、データ収集・配信制御部で収集し１次フィルタリングされた第１制御信号データを蓄積する蓄積部と、蓄積部に蓄積された第１制御信号データに顧客データを付加して第２制御信号データを作成するデータマネジメント部と、データマネジメント部で作成された第２制御信号データを格納する信号データＤＢと、信号データＤＢに格納された第２制御信号データに人口統計ＤＢ、施設データＤＢ、交通統計ＤＢを連携させ、２次フィルタリングによって情報データを作成する操作部とからなることを特徴とする。
【００１１】
請求項２に記載の発明は、請求項１の発明において、第１制御信号データは、ユーザＩＤ、位置ＩＤ、信号種別ＩＤ、サービス種別ＩＤ、無線ベアラＩＤ、接続先ＩＤ、データを取得した接続制御装置ＩＤ、端末機器ＩＤ、端末機器に接続するＳＩＭＩＤ、車両ＩＤ、Ｊａｖａ（登録商標）ＩＤ等のアプリケーションＩＤを含むことを特徴とする。
【００１２】
請求項３に記載の発明は、請求項１の発明において、顧客データが、第１制御信号データが有するユーザＩＤまたは端末機器ＩＤをキーとして顧客管理ＤＢから取得することを特徴とする。
【００１３】
請求項４に記載の発明は、請求項１の発明において、接続制御装置が、セルラ方式の無線基地局装置、無線回線制御装置、移動交換装置、位置管理ＤＢ、ＷｉＭＡＸ、ワイヤレスＬＡＮ方式のアクセスポイント、ルータを含むことを特徴とする。
【００１４】
請求項５に記載の発明は、請求項１の発明において、分岐部が、リアルタイムモニタとして信号の復号、信号の符号化機能を有する分岐回路をプローブとして挿入することを特徴とする。
【００１５】
請求項６に記載の発明は、請求項１の発明において、操作部が、２次フィルタリングとして、信号種別ＩＤ、位置情報（セル・セクタＩＤや端末のＧＰＳデータ）、データ取得時の時刻情報（日・時・分）、データ取得累積時間情報（秒単位、分単位、時間単位、日単位）、ＩＤ情報（ユーザＩＤ、接続装置ＩＤ、無線ベアラＩＤ、端末機器ＩＤ、サービス種別ＩＤ）、顧客層別情報（顧客管理データに含まれる顧客の年齢層、性別、職業層、居住エリア、通信時分層、通信料金層）、接続相手先ＩＰアドレスを組み合わせたテンプレートを作成することを特徴とする。
【００１６】
請求項７に記載の発明は、接続制御装置に入出力するユーザＩＤと位置ＩＤとを含む第１制御信号データをリアルタイムでモニタし、モニタした第１制御信号データをデータ収集配信制御部で時刻情報と位置情報に基づいて１次フィルタリングを行ない、１次フィルタリングで得られた情報を蓄積部に蓄積し、蓄積部に蓄積された情報をデータマネジメント部で、顧客データを付加して第２制御信号データを作成し、信号データＤＢに格納し、信号データＤＢと人口統計ＤＢ、施設データＤＢ、交通統計ＤＢとを連携させ、操作部で２次フィルタリングを行い、情報データを作成することを特徴とする。
【発明の効果】
【００１７】
請求項１の発明によれば、モバイル端末からの信号を受信する接続制御装置と、接続制御装置に入出力する第１制御信号データをリアルタイムでモニタする分岐部と、分岐部でモニタした第１制御信号データを時刻情報と位置情報に基づいて１次フィルタリングを行なうデータ収集・配信制御部と、データ収集・配信制御部で収集し１次フィルタリングされた第１制御信号データを蓄積する蓄積部と、蓄積部に蓄積された第１制御信号データに顧客データを付加して第２制御信号データを作成するデータマネジメント部と、データマネジメント部で作成された第２制御信号データを格納する信号データＤＢと、信号データＤＢに格納された第２制御信号データに人口統計ＤＢ、施設データＤＢ、交通統計ＤＢを連携させ、２次フィルタリングによって情報データを作成する操作部とからなるように構成されるので、指定するデータを好みに合った表示で得ることができる。したがって、ユーザとしては、通信事業者の研究開発部門、保守部門、経営部門等を含みそれぞれの部門からの異なる要求に対して対応することができる。これらユーザがセキュアにアクセスする方法としてデータのフィルタリングしたユーザがアクセス権を発行するようにすることもできる。
【００１８】
請求項２の発明によれば、信号データに、ユーザＩＤ、位置ＩＤ、信号種別ＩＤ、サービス種別ＩＤ、無線ベアラＩＤ、接続先ＩＤ、データを取得した接続制御装置ＩＤ、端末機器ＩＤ、モバイル端末に接続するＳＩＭＩＤ等のアプリケーションＩＤを含ませることで、無線系データであるセル・セクタや端末の位置、無線ベアラ帯域と交換系データである顧客やサービスの情報をリアルタイムで連携させることができ、タイムリーにサービスの改善にフィードバックできる。
【００１９】
請求項３の発明によれば、顧客データとして、第１信号が有するユーザＩＤまたは端末機器ＩＤをキーとして顧客管理ＤＢから取得することで、アクセス系の装置が顧客情報を直接取得できなくても、顧客データをモニタした第１信号に付加でき、顧客層毎のデータの分析が可能となる。
【００２０】
請求項４の発明によれば、接続制御装置として、セルラ方式の無線基地局装置、移動交換装置、、ＷｉＭＡＸ、ワイヤレスＬＡＮ方式のアクセスポイント、ルータ、を含み、これらの接続制御装置の信号データとして、モバイル端末が送受信する請求項３に記述の同じＩＤを共通に用いることで、セルラ方式でもＷｉＭＡＸ方式でも共通にＩＤ情報が利用でき、両者のサービスを同時に行なっている事業者にとって有効なシステムとなる。
【００２１】
請求項５の発明によれば、分岐部に、リアルタイムモニタとして信号の復号、信号の符号化機能を有する分岐回路をプローブとして挿入することで現用のシステムに影響なく信号をモニタできる。
【００２２】
請求項６の発明によれば、２次フィルタリングとして、信号種別ＩＤ、位置情報（セル・セクタＩＤや端末のＧＰＳデータ）、データ取得時の時刻情報（日・時・分）、データ取得累積時間情報（秒単位、分単位、時間単位、日単位）、ＩＤ情報（ユーザＩＤ、接続装置ＩＤ、無線ベアラＩＤ、端末機器ＩＤ、サービス種別ＩＤ）、顧客層別情報（顧客管理データに含まれる顧客の年齢層、性別、職業層、居住エリア、通信時分層、通信料金層）、接続相手先ＩＰアドレスを組み合わせたテンプレートを作成することで容易にオンラインのデータを顧客層や位置関連の統計データを用いて相対評価が可能となる。例えばあるセルのエリアで昼夜間の人口統計データと通信トラヒックの昼夜の量を対比させることで昼間の利用が相対的に多いのか夜間利用が相対的に多いのか判断できる。
【００２３】
請求項７の発明によれば、接続制御装置に入出力するユーザＩＤと位置ＩＤとを含む第１制御信号データをリアルタイムでモニタし、モニタした第１制御信号データをデータ収集配信制御部で時刻情報と位置情報に基づいて１次フィルタリングを行ない、１次フィルタリングで得られた情報を蓄積部に蓄積し、蓄積部に蓄積された情報をデータマネジメント部で、顧客データを付加して第２制御信号データを作成し、信号データＤＢに格納し、信号データＤＢと人口統計ＤＢ、施設データＤＢ、交通統計ＤＢとを連携させ、操作部で２次フィルタリングを行い、情報データを作成するように構成されるので、指定するデータを好みに合った表示で得ることができる。したがって、ユーザとしては、通信事業者の研究開発部門、保守部門、経営部門等を含みそれぞれの部門からの異なる要求に対して対応することができる。
【発明を実施するための最良の形態】
【００２４】
図１は、本発明のネットワーク構成例を示す図である。図１において、携帯端末１００はＧＰＳを内蔵して発信時またはオペレータからの指定によってＧＰＳで測定した位置情報を付加する。携帯端末１００は、ユーザＩＤ、位置ＩＤ、信号種別ＩＤ、無線ベアラＩＤ等の一次信号データを無線基地局１１０に送信する。無線基地局１１０、移動交換局１２０、ネットワーク１４０は、無線アクセスネットワークを構成して、音声信号、画像信号等の通信信号は、ネットワーク１４０に送信される。以下、無線基地局１１０、移動交換局１２０を総称して接続制御装置ともいう。データ収集・配信部２００は、無線アクセスネットワーク内の無線基地局１１０、移動交換局１２０の制御信号出力を分岐部１１１，１２１で分岐し、分岐した制御信号データは制御信号ネットワーク２１０を介してデータ収集・配信制御部２３０に送られ、データ収集・配信制御部２３０で収集される。
【００２５】
図２は、本発明における１次フィルタリングデータを格納するテーブルを示す図である。データ収集・配信制御部２３０は、収集された制御信号データを復号し、タイムスタンプを付加して、時刻情報、位置情報に基づいて、指定したエリア、指定した時刻の信号データをＧＰＳ情報とタイムスタンプ情報からテーブルを作成する。図２における時刻情報であるタイムスタンプは、分岐部１１１、１２１で付加しても良い。
【００２６】
図３は、制御信号データのフォーマット構成例を示す図である。図３ａは、ユーザＩＤ、位置ＩＤ、信号種別ＩＤ、無線ベアラＩＤ等の１次制御信号データのフォーマット構成例を示し、図３ｂは、ＳＩＭＩＤ、Ｊａｖａ（登録商標）ＩＤ等の２次制御信号データのフォーマット構成例を示す。図３ａにおいて、位置ＩＤとして、ＧＰＳで取得した緯度経度情報またはセルの位置情報を用いる。ユーザＩＤ、位置ＩＤ、信号種別ＩＤ、無線ベアラＩＤ、接続制御装置ＩＤ、端末機器ＩＤ等の１次制御信号データは分岐部１１１から取得する。ＳＩＭＩＤ、Ｊａｖａ（登録商標）ＩＤは、例えば特別に契約している端末から回線接続後にオペレータからの要求により付加され、分岐部１２１から取得する。図３ｂにおいて、２次制御信号データのフォーマットは、１次制御信号データのフォーマットに顧客料金データ、人口統計データ、施設データを加えたフォーマットで構成される。
【００２７】
上記各ＩＤは１つの信号に含ませても良いし、呼接続制御に用いる複数の信号に分割させて付加して複数の信号に共通のキー、例えば、ユーザＩＤを設定して、共通キーをもとにＩＤを結合させても良い。ユーザＩＤは顧客の電話番号やアドレスに対応させる。位置ＩＤは端末が信号をネットワークに送信した際の端末の位置に対応するＩＤでＧＰＳ情報や端末の信号を受信するアクセスポイントやセル番号を対応させても良い。
【００２８】
また、信号種別ＩＤは、一連の呼接続制御に用いる信号例えば発信信号、着信信号、応答信号等の種別を識別するＩＤとする。サービス種別ＩＤはユーザが受けるサービスで、ユーザが設定してネットワークに送信する際サービス例えばコンテンツダウンロード、商品の売買等のサービスを表示するためのＩＤとする。サービスＩＤとしてサービス環境設定を行うＪａｖａ（登録商標）ＩＤを用いても良い。無線ベアラＩＤは端末とネットワーク間の無線回線の周波数帯域に関するＩＤでサービスを実現させる伝送速度に対応して設定されるＩＤとする。接続先ＩＤは端末が発信する相手先のアドレスや電話番号に対応する。端末機器ＩＤは携帯端末を識別するＩＤで、ユーザと端末はＳＩＭＩＤで対応させる。ＳＩＭＩＤとしてＥＴＣのＩＤを用いても良い。
【００２９】
図４は、モバイルＰＣ端末５００を含むネットワーク構成例を示す図である。モバイルＰＣ端末５００は、ＧＰＳを内蔵する。データ収集・配信制御部２３０は、アクセスポイント５１０、エッジルータ５２０の出力である分岐部５１１、５２１からの信号データをモニタし、制御信号ネットワーク２１０を介して取り込む。
【００３０】
図５は、１次信号の１次フィルタリングによるデータ蓄積のフローチャートである。図４を参照して、図５における１次信号の１次フィルタリングによるデータ蓄積のフローチャートについて説明する。携帯端末１００は一次信号データを移動交換局１２０に送信する（ステップＳ１００）。移動交換局１２０は、一次信号データを受信すると（ステップＳ１０１）、その一次信号データをネットワーク１４０に中継すると共に（ステップＳ１０２）、分岐部１１１に送信する。分岐部１１１では、一次信号データをモニタし（ステップＳ１０３）、モニタした一次信号データをデータ収集・配信制御部２３０に送信する（ステップＳ１０４）。データ収集・配信制御部２３０では、一次信号データを受信し、位置情報と時刻情報を基に編集して蓄積部４００に蓄積する（ステップＳ１０５）。
【００３１】
図６は、２次フィルタリングで情報データを取得するテンプレートの例を示す図である。図６（ａ）のテンプレートでは、地区（エリア）、時刻を指定してその指定地区の指定エリアでの呼数をユーザＩＤ、サービスＩＤで分類して、当該エリア・時刻の人口統計量と対応させることで全体人口のどのユーザ層がどういうサービスを利用しているかの統計データが得られる。なおユーザ層は事前にユーザＩＤの情報とサービスの利用状況の履歴から同じ利用嗜好を有するユーザの層別を抽出しておく。
【００３２】
図６（ｂ）のテンプレートでは、地区（エリア）、時刻を指定してその指定地区の指定エリアでの呼数をユーザＩＤ、サービスＩＤ、無線ベアラＩＤ、接続先ＩＤ、接続装置ＩＤ、端末機器ＩＤで分類して顧客データと顧客料金データと対応させることで、ユーザ階層がどの接続先を指定してどういうサービスを利用したか、そのサービスの伝送速度、利用した端末、接続装置等の統計データが得られて有望な接続先の利用状況を分析できる。指定したエリアは位置ＩＤで、時刻はタイムスタンプをもとに収集する。
【００３３】
図６（ｃ）のテンプレートでは、地区（エリア）、時刻を指定してその指定地区の指定エリアでの呼数をユーザＩＤ、サービスＩＤ、位置ＩＤ、ＳＩＭＩＤ、Ｊａｖａ（登録商標）ＩＤで分類して顧客データと顧客料金データ、位置ＩＤと当該位置周辺の施設データとを対応させることでユーザがサービスをうけた位置と施設情報が対応でき、指定した時刻でどの施設でサービスを受けたのかを判別できる。
【００３４】
図７は、制御信号構成と分岐部との関係を示す図である。図７において、発信信号は端末１００から発信時に最初に送信される信号で、端末１００からの発信信号は信号種別、端末機器ＩＤ、位置ＩＤ、接続先ＩＤを含み、無線基地局で空き無線回線を端末１００に指定する。端末１００は、発信信号受信信号を受信後、サービス要求信号を信号種別、ユーザＩＤ、サービスＩＤを付加して無線基地局１１０に送信する。無線基地局１１０は、サービス内容を満足できる無線ベアラを無線基地局１１０の空き回線から選択して分岐部１１１経由でデータ収集・配信制御部２３０に送信する。端末１００は、指定されたベアラに設定されていることを確認して、移動交換局１２０にサービス指定信号を送信する。移動交換局１２０は、接続先ＩＤ、ユーザＩＤをもとに分岐部１２１を介してネットワーク１４０との間で通信回線を形成する。
【００３５】
この際、分岐部１１１から制御信号種別、無線ベアラＩＤ、接続装置ＩＤ、端末機器ＩＤを付加した信号にタイムスタンプを付加し、制御信号ネットワーク２１０を経由してデータ収集・配信制御部２３０に送信する。分岐部１２１は、制御信号種別、ユーザＩＤ、サービスＩＤ、接続装置ＩＤ、端末機器ＩＤにタイムスタンプを付加し、制御信号ネットワーク２１０を経由してデータ収集・配信制御部２３０に送信する。なお、特定の端末は、サービス指定信号にＳＩＭＩＤ、Ｊａｖａ（登録商標）ＩＤを付加したサービス指定信号を送信するので、この場合は信号種別、ユーザＩＤ、サービスＩＤ、接続装置ＩＤ、端末機器ＩＤにＳＩＭＩＤ、Ｊａｖａ（登録商標）ＩＤおよびタイムスタンプを付加したのち、制御信号ネットワーク２１０を経由してデータ収集・配信制御部２３０に送信する。
【００３６】
データ収集・配信制御部２３０は、各分岐部１１１または１２１からの信号を収集して、端末機器ＩＤをキーに信号を結合したのち、蓄積し、制御信号ネットワーク３１０経由で信号データＤＢ３２０に送り、時刻、エリア別にデータを信号データＤＢに格納するＳ（ステップ１０５，１１５）。時刻はタイムスタンプ情報を、エリアは位置ＩＤ情報を用いて分類する。
【００３７】
操作部３４０は、時刻、エリア、特定ＩＤ（例えばシェアマップの場合はユーザＩＤ、サービスＩＤ）と参照ＤＢ（例えば人口統計ＤＢ３３３）を指定してネットワーク３１０経由でデータマネジメント部３３０に送信する。データマネジメント部３３０は操作部３４０から受信した情報をもとに信号データＤＢ３２０に保管された信号群を抽出して、人口統計ＤＢ３３３を参照して動的な（エリア、時刻毎）のシェアマップを作成する。なお、顧客管理ＤＢ３３１はユーザＩＤを層分類する際、ロケーションＩＤは位置ロケーションＤＢ３３２からエリア情報に変換する際のデータベースとして利用する。
【００３８】
図８は、無線基地局の構成例を示す図である。携帯端末１００からの無線信号はアンテナを経由して無線送受信部１１２で受信され、ベースバンド処理部１１３で信号を復号してフォーマティングを行った後、スイッチ部１１４を介して信号情報処理部１１７から分岐１１１を経由して移動交換局１２０に送信される。分岐部１１１でモニタされた信号はモニタ信号処理部１１９でタイムスタンプが付加されデータ収集／配信部２００に送信される。
【００３９】
図９は、移動交換局１２０の構成例を示す図である。無線基地局１１０からの信号は信号情報送受信部１２３で復号され、接続先ＩＤをもとに出回線接続を行うための信号送受信部１２７の後段の分岐部１２１で分岐される。分岐部１２１からの信号、たとえば、発信信号、サービス指定信号等はモニタ信号処理部１２９でモニタされ、タイムスタンプが付加された後、データ収集配信部２００に送信される。
【００４０】
図１０は、操作部３４０の構成例を示す図である。オペレータはキー操作部３４２を操作して、対称となるエリア、時刻、分析したいＩＤ、参照したい外部データ等を入力して制御信号ネットワーク３１０を経由してデータマネジメント部３３０に送信する。
【００４１】
図１１は、２次フィルタリングによる情報データの作成と表示についてのフローチャートである。図１１において、操作部３４０は、指定エリアの指定時刻の顧客層別のトラヒック量を要求する（ステップＳ２００）。次に、操作部３４０は、図６に示される各種のパラメータをテンプレート上にマークして情報データ要求信号を作成し、データマネジメント部３３０に送信する。データマネジメント部３３０は、情報データ要求信号を受信し（ステップＳ２０２）、信号データＤＢ３２０に蓄積された信号データに一定時間毎にアクセスする（ステップＳ２０３）。次に、データマネジメント部３３０は、顧客情報ＤＢ、ロケーシン情報ＤＢにアクセスして顧客情報、ロケーション情報を信号データに付加する（ステップＳ２０４）。次に、データマネジメント部３３０は、テンプレート上にマークされたパラメータを用いて取得したデータを編集し、信号データに付加した情報をエリア、時刻で編集して情報データを作成する。この際必要に応じて人口統計ＤＢ、施設ＤＢを用いてもよい（ステップＳ２０５）。次に、データマネジメント部３３０は、作成した情報信号を操作部に返信する（ステップＳ２０６）。操作部３４０は、受信した情報信号を図表化してディスプレイ上に表示する（ステップＳ２０７）。
【００４２】
図１２は、ディスプレイ上に表示された情報データの例を示す図である。図１２（Ａ）は、各時刻におけるトラフィックの変動を示す図である。図１２（Ｂ）は、エリア毎の各時刻におけるトラフィックの時間変化を示す図である。
【００４３】
本発明は、上述した実施形態に限定されるものではなく、本発明の要旨を逸脱しない範囲内で様々な変形や応用が可能である。
【産業上の利用可能性】
【００４４】
本発明は、モバイル端末等からの信号を回線中の分岐部でモニタして表示させることが可能となる。
【図面の簡単な説明】
【００４５】
【図１】本発明のネットワーク構成を示す図である。
【図２】本発明における１次フィルタリングデータを示す図である。
【図３】１次信号データのフォーマット構成例および２次データのフォーマット構成例を示す図である。
【図４】本発明におけるモバイルＰＣ端末を含むネットワーク構成例を示す図である。
【図５】本発明の１次信号データの蓄積フローチャートである。
【図６】本発明における２次フィルタリングで情報データを取得するテンプレートの例を示す図である。
【図７】本発明の制御信号構成と分岐部との関係を示す図である。
【図８】本発明の無線基地局の構成例を示す図である。
【図９】本発明の移動交換局の構成例を示す図である。
【図１０】本発明の操作部の構成例を示す図である。
【図１１】本発明の２次フィルタリングによる情報信号の作成と表示についてのフローチャートである。
【図１２】本発明によってディスプレイ上に表示された情報データの例を示す図である。
【符号の説明】
【００４６】
１００  モバイル端末
１１０  無線基地局
１１１  分岐部
１２０  移動交換局
１２１  分岐部
１２３  信号情報送受信部
１２４  スイッチ部
１２５  スイッチ制御部
１２７  信号送受信部
１２９  モニタ信号処理部
１４０  通信ネットワーク
２００  データ収集・配信部
２１０  制御信号ネットワーク
２３０  データ収集・配信制御部
３００  データ処理部
３１０  制御信号ネットワーク
３２０  信号データＤＢ
３３０  データマネジメント部
３３１  顧客管理ＤＢ
３３２  ロケーション情報ＤＢ
３３３  人口統計ＤＢ
３３４  施設ＤＢ
３４０  操作部
３４１  信号処理部
３４２  キー操作部
３４３  表示部
３４４  制御部
３４５  信号入出力部４００  蓄積部
５００  モバイルＰＣ端末
５１０  アクセスポイント
５１１  分岐部
５２０  エッジルータ
５２１  分岐部
【図１】
2009265888.tif 000003
【図２】
2009265888.tif 000004
【図３】
2009265888.tif 000005
【図４】
2009265888.tif 000006
【図５】
2009265888.tif 000007
【図６】
2009265888.tif 000008
【図７】
2009265888.tif 000009
【図８】
2009265888.tif 000010
【図９】
2009265888.tif 000011
【図１０】
2009265888.tif 000012
【図１１】
2009265888.tif 000013
【図１２】
2009265888.tif 000014